(57)【要約】【課題】２以上のＣＡＳカードが挿入可能な受信装置および受信する際に、有料放送における限定受信やコンテンツの保護のために利用される限定受信用のＩＣカード（ＣＡＳカード）の制御方法を提供する。【解決手段】この発明の受信装置（１０１）及び限定受信用のＩＣカードの使用／ＣＡＳカード制御方法は、入力ストリームからそのストリームの受信を許可する識別情報を取得し、予め保持した参照情報と取得した識別情報とを比較して、ＣＡＳカードの種別を判定し、ＣＡＳカードの中から代表する１つのＣＡＳカードを選択し、選択された１つのＣＡＳカードに対してアクセスを優先することである。【選択図】図３
2011077929.tif 000002
【特許請求の範囲】
【請求項１】
デジタル放送を受信するチューナーを複数備えたデジタル放送受信装置であって、
暗号化により保護された番組の視聴可否判定を行うＣＡＳ（Conditional Access System）カードを複数枚接続してアクセス可能な読み出しモジュールと、
前記読み出しモジュールに接続されたＣＡＳカードにアクセスしてＣＡＳカードが保持する識別情報を読み出し、前記識別情報と内部に保持しているＣＡＳカードのＩＤからその機能種別を識別する参照情報とを比較してＣＡＳカードの種別を判定するＣＡＳカード種別判定モジュールと、
前記ＣＡＳカード種別判定モジュールの判定結果と優先選択情報に基づいて、前記複数のＣＡＳカードの中から優先してアクセスを行うＣＡＳカードを優先カードとして選択するＣＡＳカード優先選択モジュールと、
を有することを特徴とする受信装置。
【請求項２】
前記ＣＡＳカード優先選択モジュールは、前記優先カードと決定したＣＡＳカードのＩＤを優先選択情報として保持する機能を備え、前記ＣＡＳカード種別判定モジュールの判定結果で複数種別のＣＡＳカードがあると判定される場合、前記優先選択情報に該当するＣＡＳカードがある場合は当該ＣＡＳカードを優先カードとし、前記優先選択情報に該当するＣＡＳカードがない場合は参照情報で特定される機能種別で機能として特定の機能種別をもったＣＡＳカードのＩＤ範囲内にあるＩＤをもったＣＡＳカードを優先カードとし、同一種別のＣＡＳカードの場合は任意のＣＡＳカードを優先カードとすることを特徴とする請求項１記載の受信装置。
【請求項３】
前記ＣＡＳカード優先選択モジュールは、優先カード専用としてあらかじめ決められたスロットに挿入されたＣＡＳカードが、参照情報で特定される機能種別で事前に決めた対応機能以上の機能種別を有するカードである場合、挿入されたＣＡＳカードを優先カードとして選択し、前記優先カード専用スロットにカードが挿入されていない場合、挿入されたＣＡＳカードが前記対応機能以上の機能種別を有する場合には当該カードを優先カードとして設定することを特徴とする請求項１記載の受信装置。
【請求項４】
前記複数のＣＡＳカードから読み出したそれぞれのＣＡＳカードの識別情報を表示可能な表示出力を出力する表示出力モジュールをさらに有し、前記ＣＡＳカード選択モジュールが選択する１つの優先カードを、他のＣＡＳカードと区分可能に表示出力を出力することを特徴とする請求項１から３のいずれかに記載の受信装置。
【請求項５】
入力放送波がデータ放送を含むコンテンツであり、ＢＭＬスクリプトにおいてＣＡＳカードの識別情報の表示が要求される場合、前記ＣＡＳカード選択モジュールが選択した優先カードの識別情報を表示させる表示制御モジュールをさらに有することを特徴とする請求項１から３のいずれかに記載の受信装置。
【請求項６】
前記ＣＡＳカードから画面上にメッセージ表示をおこなうか否かの制御情報を取得する場合、前記ＣＡＳカード選択モジュールが選択した優先カードからのみもしくは他のカードより優先して取得することを特徴とする請求項１から３のいずれかに記載の受信装置。
【請求項７】
ＣＡＳカードが複数接続されている場合において、ＣＡＳカードのＩＤを指定した制御や特定の期間に表示させたメッセージを解除させる際、前記ＣＡＳカード選択モジュールが選択した優先カードを対象とすることを特徴とする請求項４記載の受信装置。
【請求項８】
前記表示出力モジュールが出力する表示出力を表示する表示装置をさらに有することを特徴とする請求項４記載の受信装置。
【請求項９】
複数のＣＡＳカードからその識別情報を取得し、
その機能種別を判定するための参照情報と取得した識別情報とを比較して、それぞれのＣＡＳカードの種別を判定し、
前記ＣＡＳカードの中で機能種別が１つの場合には任意のＣＡＳカードの中から１つを、機能種別が異なるカードが複数ある場合には所定の機能種別を持ったＣＡＳカードから１つ選択する手段、
もしくは、特定のカードスロットに挿入されたカードを選択カードとして選択する手段のいずれかで選択し、
選択された１つのＣＡＳカードに対してアクセスを優先することを特徴とするＣＡＳカード制御方法。
【発明の詳細な説明】
【技術分野】
【０００１】
この発明は、デジタル放送を受信する装置において、コンテンツ供給元及び配信事業者から提供される番組（コンテンツ）を受信する受信装置および受信する際に、有料放送における限定受信やコンテンツの保護のために利用される限定受信用のＩＣカード（ＣＡＳカード）の制御方法に関する。
【背景技術】
【０００２】
デジタル放送の普及によって、地上デジタル、ＢＳデジタル、ＣＳデジタルと従来アナログ放送時代からチャンネル数が格段に増え、さらには高速通信網の普及にともない、この通信網を介して番組を配信（供給）する配信事業者から取得するコンテンツなどユーザーは様々な系でコンテンツを取得して視聴することが可能になってきている。
【０００３】
一般的に有料放送や有料コンテンツの配信もしくはコンテンツ保護を目的としてコンテンツの暗号化や鍵の受け渡し等を制御する限定受信システム（Conditional Access System，ＣＡＳ）が利用される。
【０００４】
この限定受信システムとしてはデジタル放送においてはＣＡＳカードを受信装置に接続することで制御を実現する方式が採用されており、ネットワークを介したコンテンツ配信においては受信側のソフトウェアにＣＡＳカードに相当する機能を持たせることで制御を実現する方式を利用することが多い。
【０００５】
限定受信方式としては、送信側でコンテンツを暗号化（スクランブル）し、受信側では別途取得した鍵で復号化（デスクランブル）することで、鍵を取得可能な受信装置のみコンテンツを視聴することを許可させるようにするのが基本である。このデスクランブルのために取得した鍵を適切に保管管理するのがＣＡＳカードであり、セキュリティの観点から耐タンパ性能の高いＩＣカードが利用されることが多い。
【０００６】
国内のデジタル放送ではＣＡＳカードは、周知の通り、社団法人電波産業会（ＡＲＩＢ）が管理するＡＲＩＢ  ＳＴＤ−Ｂ２５に準拠したＣＡＳカードのほか、放送事業者が独自に制定した仕様に基づくＣＡＳカードが存在する。
【０００７】
これらの限定受信システムは番組やコンテンツの供給元ごとに異なるＣＡＳシステムを利用する場合や１つのシステムを複数の供給元で利用する場合がある。
【０００８】
つまり、ＣＡＳカードを利用する限定受信システムの場合、１枚のＣＡＳカードがあれば複数の供給元からのコンテンツを受信することが可能になる場合と、システムの異なるＣＡＳカードを複数枚利用することが必要な場合がある。
【０００９】
特許文献１には、後者の異なる限定受信システムの複数のＩＣカードが装着された場合、いずれかの限定受信システムに対応しているかを識別するものが示されている。
【００１０】
特許文献２には、ＩＣカード（ＣＡＳカード）が装着された場合、ＩＣカードから取得したカードＩＤを装置内部のカードＩＤ記憶部に記憶するものが示されている。
【００１１】
また、ＣＡＳカードを利用した限定受信システムのコンテンツを同時に複数受信しようとした場合には、ＣＡＳカード自体の性能による制限や運用仕様による制限で同時に受信するコンテンツの数が制限される場合がある。
【００１２】
そのため、１つの限定受信システムであっても複数のＣＡＳカードが必要になる場合がある。
【先行技術文献】
【特許文献】
【００１３】
【特許文献１】特開２００２−４４６３８号公報
【特許文献２】特開２００１−１８６４９２号公報
【発明の概要】
【発明が解決しようとする課題】
【００１４】
特許文献１は、ＩＣカードがＣＡＳカードであるか否か異なる限定受信システムであるかを検出するのみであり、１つの限定受信システムで２以上のＣＡＳカードが用意された場合の運用や切り替えについては、言及されていない。
【００１５】
特許文献２は、ＣＡＳカードから取得したカードＩＤを装置内部に保持することを示すのみで、１つの限定受信システムで２以上のＣＡＳカードを同時利用する場合の運用や切り替えについては、言及されていない。
【００１６】
この発明の目的は、１つの限定受信システムで２以上のＣＡＳカードの挿入が必要な受信装置および受信する際に、有料放送における限定受信やコンテンツの保護のために利用される限定受信用のＩＣカード（ＣＡＳカード）の制御方法を提供することである。
【課題を解決するための手段】
【００１７】
この発明は、上記問題点に基づきなされたもので、この発明は、上記問題点に基づきなされたもので、デジタル放送を受信するチューナーを複数備えたデジタル放送受信装置であって、暗号化により保護された番組の視聴可否判定を行うＣＡＳ（Conditional Access System）カードを複数枚接続してアクセス可能な読み出しモジュールと、前記読み出しモジュールに接続されたＣＡＳカードにアクセスしてＣＡＳカードが保持する識別情報を読み出し、前記識別情報と内部に保持しているＣＡＳカードのＩＤからその機能種別を識別する参照情報とを比較してＣＡＳカードの種別を判定するＣＡＳカード種別判定モジュールと、前記ＣＡＳカード種別判定モジュールの判定結果と優先選択情報に基づいて、前記複数のＣＡＳカードの中から優先してアクセスを行うＣＡＳカードを優先カードとして選択するＣＡＳカード優先選択モジュールと、を有することを特徴とする受信装置を提供するものである。
【００１８】
また、この発明は、上記問題点に基づきなされたもので、複数のＣＡＳカードからその識別情報を取得し、予め保持したＩＤとその機能種別を判定するための参照情報と取得した識別情報とを比較して、それぞれのＣＡＳカードの種別を判定し、前記ＣＡＳカードの中から機能種別が１つの場合には任意のＣＡＳカードを機能種別が複数の場合には所定の機能種別を持ったＣＡＳカードを１つ選択し、選択された１つのＣＡＳカードに対してアクセスを優先することを特徴とするＣＡＳカード制御方法を提供するものである。
【発明の効果】
【００１９】
この発明の一つの実施の形態は、１つの限定受信システムで複数枚のＣＡＳカードを使用する場合に、優先カードとして特定のカードを設定することにより、ユーザーが複数枚のＣＡＳカードを扱う際の混乱を低減することができる。
【図面の簡単な説明】
【００２０】
【図１】この発明の実施の形態が適用可能な受信装置の構成の一例を示す概略図。
【図２】図１に示した受信装置に組み込まれるＣＡＳ制御モジュールの構成の一例を示す概略図。
【図３】図１および図２に示した受信装置において、接続される複数のＣＡＳカードから優先カードを設定する方法の一例を示す概略図。
【図４】図１および図２に示した受信装置において、接続される複数のＣＡＳカードから優先カードに優先してアクセスする制御の一例を示す概略図。
【図５】図１および図２に示した受信装置において、装置に装着されているＣＡＳカードを一覧表示する一覧表示画面の表示例の一例を示す概略図。
【図６】図１および図２に示した受信装置において、優先カードスロットが定義されている場合に、優先カードスロットへの優先カードの挿入を促す一覧表示画面の表示例の一例を示す概略図。
【図７】図１および図２に示した受信装置において、複数用意されるカードスロットに、任意数の同一種別のＣＡＳカードが挿入されている場合に、優先カードを設定する表示例の一例を示す概略図。
【図８】図１および図２に示した受信装置において、装置に装着されているＣＡＳカードを一覧表示する一覧表示画面の表示例であって、優先カードとそのカードが挿入されたスロットを明示する表示例の一例を示す概略図。
【図９】図４に示した制御において表示される「優先カードの挿入を促すメッセージ」の表示例の一例を示す概略図。
【発明を実施するための形態】
【００２１】
以下、図面を参照して、本発明の実施の一形態について説明する。
【００２２】
図１は、この発明を適用した受信装置の構成を概略的に示す。なお、図１に示す受信装置は、所定の容量の記録媒体を内蔵したレコーダ装置（テレビジョン放送記録再生装置）としての機能を有し、地上アナログ放送、地上デジタル放送、衛星デジタル放送及び有線方式で番組を配信する配信事業者（ケーブルテレビジョン事業者）等の供給元が提供するさまざまなコンテンツを受信して再生信号を出力するとともに、ユーザーが希望するコンテンツについては、ユーザーの希望する画質及び音質により記録できる。また、コンテンツは、映像及び音声もしくは音楽等を含み、放送においては「番組」と称される。また、映像は、動画と静止画、あるいはテキストを主体とした文字放送やデータ放送の表示等を含む。また、受信装置は、主としてケーブルテレビジョン事業体の放送基地（配信）局から配信される番組を受信するセットトップボックス（ＳＴＢ）等であってもよい。また、受信装置は、表示装置を一体に有するテレビ受信装置であってもよい。
【００２３】
図１に示す受信装置１０１は、任意数の入力１ａ，１ｂ，・・・，１ｎ−１，１ｎ（ｎは、正の整数）を備え、デジタル放送信号を受信し、ＣＡＳ制御モジュール２から取得される鍵情報をもとに暗号化されたコンテンツの復号を行う受信処理モジュール１、複数のＣＡＳカードを接続することが可能であり、接続されるＣＡＳカードを選択してアクセスするＣＡＳ制御モジュール２、受信処理モジュール１からの信号と記録再生モジュールからの信号の切り替える信号選択モジュール３、受信した信号をデコード処理して表示装置が表示可能な信号として出力するデコードモジュール４及びＡ／Ｖ（Audio／Video）出力モジュール５のそれぞれを制御するとともに、モジュール間の信号の受け渡しを管理する主制御モジュール６を含む。また、受信装置１０１は、ユーザーの要求に従い、受信したコンテンツの記録や記録されたコンテンツの再生を行う記録再生制御モジュール７をさらに有する。なお、上述ならびに以下に「モジュール」と呼称する要素は、ハードウェアで実現するものであってもよいし、ＣＰＵ（マイクロコンピュータ）等を用いてソフトウェアで実現するものであってもよい。
【００２４】
受信処理モジュール１は、図２を用いて詳述するが、１ａ，１ｂ，・・・，１ｎ−１，１ｎ（ｎは、正の整数）毎に、入力信号から所定のチャンネルを選局（チューニング）し、復調してトランスポートストリーム（Transport Stream，ＴＳ）を出力するチューナーモジュール、チューナーモジュールで選局されたＴＳからＣＡＳの制御情報を含む管理情報を分離するＴＳ分離モジュール、ＴＳ分離モジュールが分離したＣＡＳの制御情報を、以下に説明するＣＡＳ制御モジュール経由でＣＡＳカードに送り、レスポンスされる鍵情報でデスクランブルしたＴＳを得るデスクランブラモジュールを含む。
【００２５】
ＣＡＳ制御モジュール２は、複数のＣＡＳカード（たとえば４枚）を接続してアクセスすることが可能であり、ＴＳ分離モジュールで取得された制御情報（ＥＭＭ、ＥＣＭ）を選択したＣＡＳカードにおくり、ＣＡＳカードに契約情報を設定、ＣＡＳカードからのデスクランブル鍵取得し、取得したデスクランブル鍵をデスクランブラモジュールに設定する機能を有している。また、ＣＡＳカードの識別符号（ＩＤ）を読み取り、接続されているＣＡＳカードの識別を行う機能も有している。
【００２６】
さて、限定受信システムによってはＣＡＳカードの性能やシステム性能によって１枚のＣＡＳカードで同時に処理可能なストリーム数が制限される場合がある。
【００２７】
つまり、１枚のＣＡＳカードでは同時に処理可能なストリーム数が２つであるという制限があった場合に、２つの番組を同時録画しながら別の番組を視聴しようとした場合、２枚のＣＡＳカードが必要なことになる。
【００２８】
また、同じＣＡＳで運用されるＣＡＳカードであってもたとえば、有料放送まで視聴可能なカードとコンテンツ保護機能のみ可能なカード等カード毎に利用可能な機能を制限する運用を行う場合があり、その識別には例えばＣＡＳカードのＩＤが使用される。
【００２９】
例えば、国内のデジタル放送においては、地上デジタル放送はすべてコンテンツ保護を伴う無料番組であり、ＢＳ／ＣＳでは有料放送を実施している事業者とコンテンツ保護を伴う無料番組のみを行う事業者が混在している。また、受信機においても地上デジタル専用機とＢＳ／ＣＳまで対応している受信機が混在している。つまり、地上デジタル専用のＣＡＳカードとすべての放送波に対応したＣＡＳカードを運用することが可能な状況にある。
【００３０】
このような場合、受信装置１０１で挿入されたカードの識別を可能にするために事前にＣＡＳを運用している事業者から対応する機能種別とそのＩＤ範囲が提示されたり、ネットワーク上に公開されるなど何ならの通知手段が実行されることになる。
【００３１】
また、ＣＡＳによってはＣＡＳカード内に保存される提示期間情報に応じて受信装置１０１に対してメッセージを表示させるような機能をもっている場合もあり、この場合、たとえば契約や事業者への連絡で表示期間の変更などが行われる。その際にはＣＡＳカードのＩＤを電話やインターネット、封書等で連絡することが行われる。
【００３２】
信号選択モジュール３は、主要な構成及びその機能は広く知られているので詳細な説明を省略するが、受信処理モジュール１または記録再生制御モジュール７から供給される各信号を、信号毎に規定された処理方法に従い、引き続くデコードモジュール４がデコード可能に、処理する。
【００３３】
受信モジュール１が出力する信号が、衛星放送すなわちＢＳ（Broadcasting Satellite，放送衛星）またはＣＳ（Communication Satellite，通信衛星）により提供される衛星デジタル放送信号である場合、チューナーモジュールで選局されたチャンネルのコンテンツは、ＰＳＫ（Phase Shift Keying）復調モジュールにより復調され、トランスポートストリーム（Transport Stream，ＴＳ）が取り出されたのち、ＴＳ復号モジュールにより、復号処理（デパケット）される。これにより、選択したコンテンツのデジタルの映像信号及び音声（オーディオ）信号（ＰＥＳ（Packetized Elementary Stream））が得られる。
【００３４】
受信モジュール１が出力する信号が、地上デジタル放送信号である場合、チューナーモジュールで選局されたチャンネルのコンテンツは、ＯＦＤＭ（Orthogonal Frequency Division Multiplexing）復調モジュールにより復調され、トランスポートストリーム（Transport Stream，ＴＳ）が取り出されて、以下、衛星放送信号と同様に、処理される。
【００３５】
なお、後段に説明する記録再生制御モジュール７が出力する信号は、通常は、ＭＰＥＧ（Moving Picture Experts Group）−２あるいは，−４（Ｈ．２６４−ＡＶＣ）規格（オーディオ／音声はＭＥＰＧ−２）に基づいて圧縮された信号であり、そのまま後段のデコードモジュール４へ出力される。
【００３６】
デコードモジュール４は、主要な構成及びその機能は広く知られているので詳細な説明を省略するが、信号選択モジュール３から出力されるＴＳをＴＳ復号モジュールにより、復号処理（デパケット）して得られたコンテンツのデジタルの映像信号及び音声（オーディオ）信号（ＰＥＳ（Packetized Elementary Stream））をデコードし、選択されたコンテンツの映像信号および音声（オーディオ）信号を出力する。映像信号及びオーディオ（音声）信号は、後段のＡ／Ｖ（Audio／Video）出力モジュール５に供給され、出力先に応じて適切なフォーマットにして出力される。
【００３７】
Ａ／Ｖ（Audio／Video）出力モジュール５は、主要な構成及びその機能は広く知られているので詳細な説明を省略するが、外部に接続されるモニタ装置（ディスプレイ）が表示（再生）可能な映像出力を生成する映像処理モジュールと外部に接続されるオーディオ（音声）再生装置、すなわちスピーカあるいはヘッドホン等が再生可能なオーディオ出力（音声を含む）を出力するためのオーディオ処理モジュールとを含む。映像出力については、デコードモジュール４から供給されるデジタルの映像信号と、例えば操作ガイドやエラーメッセージ等であり、ＯＳＤ（On Screen Display）信号生成モジュールで生成されるＯＳＤ信号と、データ放送等である場合に生成される画像（テキスト）データと、ＴＳから取得したＥＰＧデータあるいは字幕信号等を合成して、映像出力８に出力する。オーディオ出力については、必要に応じ、予め用意された案内（音声ガイド）を、適時重畳して、オーディオ出力９に出力する。なお、テレビ受信装置等、表示装置及びスピーカが一体的に設けられている場合には、映像処理モジュール及びオーディオ処理モジュールの出力が、そのまま供給されることはいうまでもない。
【００３８】
また、図示しないがＯＳＤ信号生成モジュールが映像処理モジュールに出力する出力ＯＳＤ信号は、ＯＳＤ信号生成モジュールの出力ＯＳＤ信号とグラフィック処理モジュールの両出力を、例えばそれぞれ画面の半分を構成するように組み合わせて表示（再生）可能に、映像出力に反映することができる。また、グラフィック処理モジュールは、αブレンディングと呼ばれるパラメーターが設定されることで、通常の映像表示上に、ＯＤＳ信号生成モジュールからの出力を、「半透明」状態で（通常の映像信号の一部を透過可能に）重ね合わせた状態で表示（再生）可能に、映像出力に反映することができる。グラフィック処理モジュールはまた、コンテンツが字幕信号を伴い、字幕が表示可能である場合は、映像出力に、字幕信号を重畳することができる。
【００３９】
主制御モジュール６は、主要な構成及びその機能は広く知られているので一部を除いて詳細な説明を省略するが、番組データベース処理モジュール６Ａ、視聴制御モジュール６Ｂ、メモリモジュール６Ｃ、表示制御モジュール６Ｄ及びＭＰＵ（マイクロプロセッサ、あるいはコアプロセッサ）６Ｅを少なくとも含む。
【００４０】
番組データベース処理モジュール６Ａは、例えばＥＰＧの表示やＥＰＧにより取得したコンテンツの情報に従う録画予約の受け付け等の機能に利用される。
【００４１】
視聴制御モジュール６Ｂは、コンテンツを受信して視聴する制御全般を行うものであり、挿入されているＣＡＳカードの種類や状態による状態制御も含んでいる。
【００４２】
メモリモジュール６Ｃは、動作プログラムを保持したＲＯＭ（Read Only Memory）、作業エリアを提供するＲＡＭ（Random Access Memory）、及び各種の設定情報や制御情報等が格納され、保持される不揮発性メモリ（Non Volatility Memory，ＮＶＭ）を含む。なお、ＲＡＭは、取得したＥＰＧデータも保持する。また、不揮発性メモリ（ＮＶＭ）は、録画予約を実現するための予約情報、直前に視聴あるいは録画していたチャンネル情報等を保持する。
【００４３】
表示制御モジュール６Ｄは、Ａ／Ｖ（Audio／Video）出力モジュール５に出力すべきＯＳＤ信号の生成や操作ガイドとして表示される画像表示（アイコン（Icon）表示やＧＵＩ（Graphical User Interface）において表示すべきさまざまな表示）を制御する。
【００４４】
主制御モジュール６は、上述した受信処理モジュール１、ＣＡＳ制御モジュール２、信号選択モジュール３、デコードモジュール４及びＡ／Ｖ（Audio／Video）出力モジュール５のそれぞれを制御するとともに、モジュール間の信号の受け渡しを管理する。
【００４５】
また、主制御モジュール６は、図示しない操作モジュールにより入力される操作情報、または図示しないリモコン（リモート端末）から送出された操作情報を図示しないリモコン受信モジュールにより受信したリモコン入力に対応する操作内容が反映されるように、上述した各モジュールを制御するとともに、メモリモジュール６Ｃが含むＲＯＭが保持するプログラムに従い、起動プログラムを実行し、次の入力、または録画予約等に備えた待機状態をセットする。
【００４６】
また、主制御モジュール６は、ＲＯＭに格納されている制御プログラムに基づいて、後段に説明するが、記録再生制御モジュール７が有する記録媒体について、欠陥場所検出、未記録領域検出、録画情報記録位置設定、ＵＤＦ記録、及びＡ／Ｖアドレス設定等を実行する。なお、主制御モジュール６は、詳述しないが、ディレクトリ検出部、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部、編集を実行する際の管理情報を処理する編集時管理情報制御部、あるいは録画を実行する際の管理情報を処理する録画時管理情報制御部、等として所定の動作あるいは処理を実現するための、さまざまな信号処理ブロックを含む。
【００４７】
主制御モジュール６はまた、設定された『予約録画』に関する、例えば［開始日時］，［終了日時］，［チャンネル］及び［レート］等の情報を保持し、設定された予約録画を実現する。
【００４８】
主制御モジュール６はまた、ＣＡＳ制御モジュール２の任意のカードスロットに挿入されたＣＡＳカードのＩＤを取得し、ＣＡＳカードの種別判別、それぞれのＣＡＳカードに記録されているユーザー識別情報や契約情報の照会等を行う。また、後段に詳述するが、特定のＣＡＳカードを、起動中において優先的にアクセスするカード（「優先カード」と称する）として取り扱うための設定、「優先カード」に設定すべきＣＡＳカードの検索、及びそれらを実行するためのユーザーからの指示の受け取り（ＧＵＩによるユーザーからの指示入力を促し、入力された指示入力に対応する表示例の表示）等を実行する。
【００４９】
主制御モジュール６はまた、デコードされた信号から、ＴＳに含まれているセクション情報、各種データ（サービス情報）、電子番組ガイド（ＥＰＧ）情報、番組属性情報（番組ジャンル等）、字幕情報を取得する。
【００５０】
なお、コンテンツ（ストリーム）に付属する管理情報（ＣＡＳの情報）は、図２により後段に説明するが、受信処理ジュール１が含むＴＳ分離モジュールにより、予めＴＳから分離される。ＣＡＳの情報については、大きくはＥＣＭ（ＭＰＥＧ−２規格である場合）、ＥＭＭ（有料放送の契約情報等）がある。ＥＣＭは受信した受信装置１０１で共通に使用する情報であるが、契約情報等を設定するＥＭＭは接続されるＣＡＳカードのＩＤがＥＭＭで指定されるＩＤに一致しているときのみ受信制御される情報である。
【００５１】
上述のように契約情報等を設定するＥＭＭは特定のＣＡＳカードのＩＤに対して送られるため、ユーザーが契約の申し込み等を行う場合にはＣＡＳカードが複数接続されている場合、ユーザーがＣＡＳカードのＩＤを指定した制御（契約の申し込み等）を行う場合や特定の期間に表示させたメッセージを解除させる場合やデータ放送を受信してＣＡＳカードＩＤを表示する場合などＣＡＳカードを特定する必要がある場合がある。この様な場合に「優先カード」として指定したＣＡＳカードを対象として制御を行う。上述のＥＭＭ情報は、「優先カード」にのみ供給する。また、データ放送を受信し、何らかの登録等を行う場合には、データ放送に含まれるＢＭＬによってＣＡＳカードの識別情報の表示が要求される場合がある。この際に「優先カード」のＩＤを常に表示することで、ユーザーに対いては常に同じカードのＩＤを表示できるため、これまで登録に利用していたＩＤと異なったものを登録してしまうなどの使用時の混乱を低減することができる。
【００５２】
また、コンテンツ保護機能のみのカードと加えて有料放送まで対応可能なカードとが混在して挿入されている場合、対応範囲の広い有料放送まで対応可能なカードを「優先カード」とし、ＩＤの表示等を行うことで、有料放送の申し込みを出来ない等のユーザーの使用時の混乱を低減することができる。
【００５３】
なお、主制御モジュール６による起動処理時（起動プログラム実行時）に、それぞれのカードの種別等を予めチェックすることはいうまでもない。
【００５４】
記録再生制御モジュール７は、記録モード（レート）による違いがあるが、百時間程度のコンテンツの録画が可能なＨＤＤ（Hard Disk Drive，大容量記憶装置）を含み、受信したコンテンツあるいは入力される情報を保持する。なお、ＨＤＤは、２以上用意されてもよく、図１に示す例では、４である。また、ＨＤＤが複数用意される場合、それぞれが同一あってもよく、もちろん異なるものであってもよい。また、ＨＤＤに代えて、例えば半導体メモリ（メモリカード）を記録媒体とすることも可能であるし、併用されてもよいことはいうまでもない。
【００５５】
図２は、図１に示した受信装置の受信処理部をより詳細に説明する。
【００５６】
受信装置１０１の受信処理モジュール１においては、図１により概略を説明したが、各空間波、すなわちＢＳ／ＣＳデジタル放送向け、地上デジタル放送向け等の図示しないアンテナ、あるいは光ファイバ網等を介して配信事業者が供給するコンテンツの入力端等を経由して、任意数のチャンネルのコンテンツが受信可能である。
【００５７】
図２に示す例では、ＣＡＳ制御モジュール２は、４枚のＣＡＳカードを処理可能であるので、仮にある限定受信システムでは１つのＣＡＳカードで処理可能なストリーム数が２だとすると最大で同時に８つのストリーム（コンテンツ）を受信処理可能になる。
【００５８】
また、ＣＡＳ制御モジュール２は、起動時にそれぞれのカードＩＤを読み込み、受信装置１０１内に保持しているＩＤリストと比較してＣＡＳの識別を行い、それぞれのＣＡＳカードの適用範囲の確認を行う。
【００５９】
図２に示す受信処理モジュール１が受信した信号（放送波または配信事業者が光ファイバ網を経由して供給するストリーム）は、任意のチューナーモジュール１１ａ，１１ｂ，・・・，１１ｎ−１，１１ｎ（ｎは、正の整数）により選局され、対応するＴＳ分離モジュール１２ａ，１２ｂ，・・・，１２ｎ−１，１２ｎ（ｎは、正の整数）、対応するデスクランブルモジュール１３ａ，１３ｂ，・・・，１３ｎ−１，１３ｎ（ｎは、正の整数）の順に供給され、ＣＡＳ制御モジュール２から取得した鍵でデスクランブルして出力される。
【００６０】
図３は、複数接続されるＣＡＳカードから優先カードを設定する方法の一例を示す。
【００６１】
受信装置１０１が起動されることで、全てのカードスロットに挿入されているＣＡＳカードのカード識別情報がチェックされる（ブロック［０１］）。このチェックにはＣＡＳカードの存在チェックのほか、カードの機能種別を特定するための情報（ＩＤ範囲など）が事前に設定され、これとカードから読みだした識別情報を比較するものである。
【００６２】
続いて、「優先カード」がいずれかのカードスロットに挿入されているか否かが、チェック時される（ブロック［０２］）。
【００６３】
「優先カード」が挿入されている場合（ブロック［０２−ＹＥＳ］）、通常の起動ルーチンにより受信装置１０１が起動され、ユーザーからの指示に応じたコンテンツ（番組）の受信や記録媒体に記録されているコンテンツ（番組）が再生される。
【００６４】
「優先カード」がいずれのカードスロットにも挿入されていない場合（ブロック［０２−Ｎ０］）、まだ一度も「優先カード」を設定していない場合と設定した「優先カード」が見つからない場合があるが、動作としては同じである。全てのカードスロットに挿入されているＣＡＳカードの種別がチェックされる（ブロック［０３］）。
【００６５】
全てのカードスロットに挿入されているＣＡＳカードが同一種別である場合（ブロック［０３−ＹＥＳ］）、いずれかのＣＡＳカードを「優先カード」に設定するよう、ＧＵＩ表示が起動され、ユーザーからの指示入力に従い、「優先カード」が設定される（ブロック［０４］）。「優先カード」に設定されたＣＡＳカードのＩＤ情報は優先選択情報としてメモリ部６Ｃに記憶され、次回の判定に利用される。
【００６６】
カードスロットに挿入されているＣＡＳカードが同一種別ではない場合（ブロック［０３−ＮＯ］）、適用範囲（受信可能範囲）の広いＣＡＳカードから「優先カード」を設定するよう、ＧＵＩ表示が起動され、ユーザーからの指示入力に従い、「優先カード」が設定される（ブロック［０５］）。
【００６７】
つまりＣＡＳカードとして、コンテンツ保護のみ対応のＣＡＳカードＡとコンテンツ保護を含み有料放送まで対応可能なＣＡＳカードＢが挿入されていた場合にはＣＡＳカードＢが「優先カード」として選択されることになり、ユーザーが契約の追加などでカードＩＤが必要な場合に適切なＩＤを提示することが可能になる。
【００６８】
図４は、物理的にスロットを指定することによる優先カードを決定とアクセス制御の一例を示す。なお、図４に示す例は、図１及び図２に示したＣＡＳ制御モジュール内に、「優先カード」専用のカードスロットが規定されている場合を想定している。専用のカードスロットは、例えば主制御モジュール６においてカードが挿入されているかいないか、をチェックする際に、任意のスロットについて『優先カード用スロット』として、ソフトウェア的に認識させることにより、容易に実現できる。もちろん、ハード的に、優先するスロットを設けてもよいことはいうまでもない。
【００６９】
受信装置１０１が起動されると、全てのカードスロットに挿入されているＣＡＳカードのカード識別情報がチェックされる（ブロック［１１］）。
【００７０】
受信装置１０１が起動されることで、全てのカードスロットに挿入されているＣＡＳカードのカード識別情報がチェックされる（ブロック［１１］）。
【００７１】
続いて、「優先カード」となりうるカードが『優先カード用スロット』すなわち専用スロットに挿入されているか否か、がチェックされる（ブロック［１２］）。
【００７２】
「優先カード」となりうるカードとは、たとえば上述のコンテンツ保護のみ対応のＣＡＳカードＡとコンテンツ保護を含み有料放送まで対応可能なＣＡＳカードＢの場合、ＣＡＳカードＢを「優先カード」とするというルールのもとに決定されるものであり、この場合、ＣＡＳカードＢが「優先カード」となりうるカードとなる。
【００７３】
『優先カード用スロット』すなわち専用スロットに、「優先カード」となりうるカードが挿入されている場合（ブロック［１２−ＹＥＳ］）、通常の起動ルーチンにより受信装置１０１が起動され、ユーザーからの指示に応じたコンテンツ（番組）の受信や記録媒体に記録されているコンテンツ（番組）が再生される。
【００７４】
専用スロットに、「優先カード」となりうるカードが挿入されていない場合（ブロック［１２−ＮＯ］）、他のスロットに挿入されている全てのＣＡＳカードが「優先カード」となりうるカードであるか否か（「優先カード」となりうるカードがいずれかのスロットに挿入されているか否か）、がチェックされる（ブロック［１３］）。
【００７５】
他のスロットに挿入されているいずれかのＣＡＳカードに「優先カード」となりうるカードがある場合（ブロック［１３−ＹＥＳ］）、例えば『スロット３のカードを専用スロットに入れてください』等の専用スロットに「優先カード」となりうるカードを移動することを促すメッセージを表示可能な表示出力が映像出力８に出力される（ブロック［１４］）。
【００７６】
スロットに挿入されている全てのＣＡＳカードが「優先カード」となりうるカード以外である場合（ブロック［１３−ＮＯ］）、例えば『「優先カード」となりうるカードを専用スロットに挿入してください』等の「優先カード」を専用スロットに挿入することを促すメッセージを表示可能な表示出力が映像出力８に出力される（ブロック［１５］）。
【００７７】
以上のようにして「優先カード」専用スロットを容易することで、「優先カード」の選択を容易にしたり、「優先カード」の特定を容易にすることが可能である。
【００７８】
この場合において、「優先カード」としているＣＡＳカードのＩＤをメモリ部６Ｃに記憶しておき、次回記憶しているＩＤと異なるＣＡＳカードが挿入されたことを検知した場合にメッセージ表示をするといったことも可能である。
【００７９】
図５は、図３に示した「優先カード」の設定において、表示装置に表示される表示画面の表示例の一例を示す。なお、図５に示す例は、映像出力８に表示装置（モニタ装置）が接続された状態、あるいは受信装置がモニタ装置と一体であるテレビ受信装置である場合の表示例を提供可能な表示出力（信号）に相当する。また、実際に表示される際には、モニタ装置（表示装置）のサイズやアスペクト比、解像度等のさまざまな要因に従って変化する場合がある。
【００８０】
図５に示す表示例は、図３における「全てのカードスロットに挿入されているＣＡＳカードのカード識別情報」をチェックした結果の表示例の一例に相当し、スロットが４つである場合において、スロット１にカードが挿入されているか否かを表示する『表示５１１』、スロット２にカードが挿入されているか否かを表示する『表示５１２』、同スロット３にカードが挿入されているか否かを表示する『表示５１３』、及び同スロット４にカードが挿入されているか否かを表示する『表示５１４』を含む『表示５０１』を示す。
【００８１】
なお、『表示５１１〜５１３（スロット１〜３）』は、ＣＡＳカードが挿入されている状態を示し、『表示５１４（スロット４）』については、一例ではあるが『このスロットはカードが挿入できます』等の、スロット４にＣＡＳカードが挿入された場合には、さらに２つのストリームの受信が可能であることを示唆するメッセージを表示した『表示５２１』が同時に表示された例を示す。もちろん、『表示５２１』は省略されてもよいし、スロット１〜３について、カードが挿入されていることを報知するメッセージ表示が用意されてもよい。
【００８２】
図７は、図３に示した「優先カード」の設定において、表示装置に表示される表示画面の表示例の一例を示す。なお、図７に示す例も、映像出力８に表示装置（モニタ装置）が接続された状態、あるいは受信装置がモニタ装置と一体であるテレビ受信装置である場合の表示例を提供可能な表示出力（信号）に相当し、実際に表示される際には、モニタ装置（表示装置）のサイズやアスペクト比、解像度等のさまざまな要因に従って変化する場合がある。
【００８３】
図７に示す表示例は、図３で説明した「全てのカードスロットに挿入されているＣＡＳカードが同一種別である場合」において、「優先カード」を設定するよう、ＧＵＩを出力し、ユーザーからの指示入力に従い、「優先カード」が設定された状態に相当する。
【００８４】
『表示７０１』は、４つのスロットにそれぞれ同一種別のＣＡＳカードが挿入されている状態を示す『表示７１１〜７１４』と、それぞれのスロットおよびカードのうちのどれが「優先カード」であるかを表示する『優先カードバー７２１』と優先カードバー７２１のうちのスロット１に挿入されているカードを「優先カード」と設定した『優先カード表示７２２』を含む。なお、『表示７２３』は、該当するスロット及び挿入されているカードが「優先カード」ではない（「優先カードに選ばれていない」）ことを表示するが、省略されてもよいことはいうまでもない。また、『表示７２２』／『表示７２３』は、例えば表示色の変化や、ボタン表示（選択されているスロットの表示が、押しボタンが押し込まれた状態を表示する）等、任意の表示方式が適用できる。
【００８５】
図６に示す表示例は、図４で説明した「「優先カード」を専用スロットに挿入する」ことを促す、ＧＵＩの表示出力の一例に相当する。
【００８６】
『表示６０１』は、４つのスロットのうちの最上段に表示されるスロットが「優先カードスロット」であることを表示する『表示６１１』、「優先カード」以外が挿入されるべきスロットであることを表示する『表示６１２（スロット２）』、『表示６１３（スロット３）』、及び『表示６１４（スロット４）』を含む。また、『表示６２１』は、「「優先カード」を専用スロットに挿入する」ことを促すメッセージ表示である。
【００８７】
図８に示す表示例は、図４で説明した「「優先カード」が専用スロットに挿入されている」状態を、一例ではあるが、他のスロットに挿入されているカードとの識別が可能に表示する一例に相当する。
【００８８】
『表示８０１』は、４つのスロットのうちの最上段に表示されるスロットが「優先カード」が挿入された「優先カードスロット」であることを表示する『表示８１１』、「優先カード」以外が挿入されるべきスロットであり、それぞれに任意のカードが挿入されていることを表示する『表示８１２（スロット２）』、『表示８１３（スロット３）』、及び『表示８１４（スロット４）』を含む。なお、それぞれの表示が表示される位置や方向、表示の順等は、任意に変更されてもよいことはいうまでもない。
【００８９】
以上説明したように、この発明の実施の一形態を適用することにより、２枚のＣＡＳカードで処理できるストリーム数以上のストリーム処理を行うために２以上のＣＡＳカードを挿入可能にした受信装置において、「優先カード」としてアクセスと特定するカードを識別する仕組みを用意することで、ユーザーに対する混乱を低減することができる。
【００９０】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００９１】
１…受信処理モジュール、２…ＣＡＳ制御モジュール、３…信号選択モジュール、４…デコードモジュール、５…Ａ（Audio）／Ｖ（Video）出力モジュール、６…主制御モジュール、７…記録再生制御モジュール、８…映像出力、９…オーディオ（音声）出力、１０１…受信装置。
【図１】
2011077929.tif 000003
【図２】
2011077929.tif 000004
【図３】
2011077929.tif 000005
【図４】
2011077929.tif 000006
【図５】
2011077929.tif 000007
【図６】
2011077929.tif 000008
【図７】
2011077929.tif 000009
【図８】
2011077929.tif 000010
【図９】
2011077929.tif 000011